(57)【要約】【課題】映像のコントラストを高める光学機能および電磁波遮蔽機能の両方を有する安価で透過率の高い表示装置用フィルタ、表示装置用フィルタの製造方法、およびフィルタ付表示装置を提供する。【解決手段】本発明による表示装置用フィルタ１０は、ＰＤＰ３０の前面に設置される。この表示装置用フィルタ１０は、映像のコントラストを高める光学機能層２０を備えている。この光学機能層２０は、透明樹脂部２１と透明樹脂部２１に埋め込まれた黒化樹脂部２２とからなり、この黒化樹脂部２２は導電性インクからなっている。これにより外光を吸収してＰＤＰ３０からの映像のコントラストを高めるとともに、ＰＤＰ３０から放出される電磁波を効果的に遮蔽することができる。【選択図】図１
2008256833.tif 000002
【特許請求の範囲】
【請求項１】
表示装置の前面に設置される表示装置用フィルタにおいて、
透明基材と、
透明基材上に設けられ、映像のコントラストを高める光学機能層と、を備え、
光学機能層は、透明樹脂部と透明樹脂部に埋め込まれた黒化樹脂部とからなり、
光学機能層の黒化樹脂部は導電性インクからなり、電磁波シールド機能を有することを特徴とする表示装置用フィルタ。
【請求項２】
黒化樹脂部は、ストライプ状に形成されていることを特徴とする請求項１に記載の表示装置用フィルタ。
【請求項３】
黒化樹脂部は、格子状に形成されていることを特徴とする請求項１に記載の表示装置用フィルタ。
【請求項４】
光学機能層の透明樹脂部中に金属粉が添加され、これにより更に電磁波シールド機能を高めることを特徴とする請求項１乃至３のいずれかに記載の表示装置用フィルタ。
【請求項５】
光学機能層上に、導電性を有する導電層を更に設け、これにより更に電磁波シールド機能を高めることを特徴とする請求項１乃至３のいずれか記載の表示装置用フィルタ。
【請求項６】
光学機能層または透明基材上に、近赤外線カット機能またはネオンカット機能、もしくは双方の機能を有する近赤外線／ネオンカット層を設けたことを特徴とする請求項１乃至４のいずれか記載の表示装置用フィルタ。
【請求項７】
近赤外線／ネオンカット層は、粘着材を介して光学機能層または透明基材上に設けられていることを特徴とする請求項６に記載の表示装置用フィルタ。
【請求項８】
光学機能層または透明基材上に、近赤外線カット機能またはネオンカット機能、もしくは双方の機能を有する近赤外線／ネオンカット粘着材を設けたことを特徴とする請求項１乃至５のいずれか記載の表示装置用フィルタ。
【請求項９】
透明基材は、近赤外線カット機能またはネオンカット機能、もしくは双方の機能を有することを特徴とする請求項１乃至５のいずれか記載の表示装置用フィルタ。
【請求項１０】
反射防止層を更に備えたことを特徴とする請求項１乃至９のいずれか記載の表示装置用フィルタ。
【請求項１１】
支持用基材を更に備えたことを特徴とする請求項１乃至１０のいずれか記載の表示装置用フィルタ。
【請求項１２】
請求項１乃至１１のいずれか記載の表示装置用フィルタと、
表示装置とを備えたことを特徴とするフィルタ付表示装置。
【請求項１３】
表示装置の前面に設置される表示装置用フィルタの製造方法において、
透明基材を準備する工程と、
透明基材上に映像のコントラストを高める光学機能層を設ける工程と、を備え、
光学機能層は、透明樹脂部と透明樹脂部に埋め込まれた黒化樹脂部とからなり、
光学機能層の黒化樹脂部は導電性インクからなり、電磁波シールド機能を有することを特徴とする表示装置用フィルタの製造方法。
【発明の詳細な説明】
【技術分野】
【０００１】
本発明は、例えば表示装置の表示面のような光透過面等に配置されて用いられる表示装置用フィルタおよびフィルタ付表示装置に係り、とりわけ映像のコントラストを高める光学機能および電磁波遮蔽機能を有する表示装置用フィルタおよびこのような表示装置用フィルタを有するフィルタ付表示装置に関する。また、本発明は、光学機能および電磁波遮蔽機能の両方を有する表示装置用フィルタの製造方法に関する。
【背景技術】
【０００２】
近年、各種の映像表示装置が、種々の分野で利用されている。そして、映像表示装置に表示される映像を明瞭に観察することができるようにするためには、映像のコントラストを高めることが有効である。そして、映像のコントラストを高めるための種々の研究がなされており（例えば、特許文献１）、外光の表示面への入射を抑制することが有効とされている。とりわけ、プラズマディスプレイパネル（ＰＤＰ）においては、その構造的特徴から表示面が全体的に白っぽくなり、映像のコントラストが低下しやすい。このため、プラズマディスプレイパネルの前面には、外光を吸収する遮光材が配置される。
【０００３】
また近年、各種映像表示装置から発生される電磁波による、電子機器や身体等への電磁気的なノイズ妨害（Electro Magnetic Interference; EMI）が問題となっている。例えば、プラズマディスプレイパネル（ＰＤＰ）は、データ電極と蛍光層を有するガラス板と透明電極を有するガラス板との組合体であり、作動すると電磁波が大量に発生する。このため、プラズマディスプレイパネルの前面には、メッシュ状（格子状）に形成された導電体を含む電磁波シールド材が配置される。そして、この電磁波シールド材によって、映像表示装置から発生する電磁波を遮蔽するようになっている。
【特許文献１】特許第２６２４４６２号公報
【発明の開示】
【発明が解決しようとする課題】
【０００４】
ところで、映像表示装置の表示面の前面に配置される遮光材、電磁波シールド材、および近赤外線／ネオンカット材は、互いに全く異なる特殊な構造を有しており、別部材として作製されている。そして、遮光材、電磁波シールド材、および近赤外線／ネオンカット材を表示装置の表示面上へ配置する場合、遮光材、電磁波シールド材、および近赤外線／ネオンカット材が別個に表示面上に配置される、あるいは、遮光材と電磁波シールド材と近赤外線／ネオンカット材とが予め積層され、得られた積層体が表示面上に配置される。この結果、表示装置の構成が複雑化するとともに、表示装置の製造コストが高くなってしまう。
【０００５】
また、映像表示装置に限られず、遮光材、電磁波シールド材、および近赤外線／ネオンカット材が積層されて用いられる場合がある。そしてこの場合、同様の問題が生じ得る。
【０００６】
また映像表示装置のうち、とりわけＰＤＰからは電磁波だけでなく、近赤外線、あるいは封入ガスからネオン光が放出してオレンジ色が強くなり、色純度が低下することも考えられる。
【０００７】
本発明は、このような点を考慮してなされたものであり、映像のコントラストを高める光学機能および電磁波を遮蔽する電磁波遮蔽機能の両方を有する安価で透過率の高い表示装置用フィルタ、表示装置用フィルタの製造方法、およびフィルタ付表示装置を提供することを目的とする。
【課題を解決するための手段】
【０００８】
本発明は、表示装置の前面に設置される表示装置用フィルタにおいて、透明基材と、透明基材上に設けられ、映像のコントラストを高める光学機能層と、を備え、光学機能層は、透明樹脂部と透明樹脂部に埋め込まれた黒化樹脂部とからなり、光学機能層の黒化樹脂部は導電性インクからなり、電磁波シールド機能を有することを特徴とする表示装置用フィルタである。
【０００９】
本発明は、黒化樹脂部は、ストライプ状に形成されていることを特徴とする表示装置用フィルタである。
【００１０】
本発明は、黒化樹脂部は、格子状に形成されていることを特徴とする表示装置用フィルタである。
【００１１】
本発明は、光学機能層の透明樹脂部中に金属粉が添加され、これにより更に電磁波シールド機能を高めることを特徴とする表示装置用フィルタである。
【００１２】
本発明は、光学機能層上に、導電性を有する導電層を更に設け、これにより更に電磁波シールド機能を高めることを特徴とする表示装置用フィルタである。
【００１３】
本発明は、光学機能層または透明基材上に、近赤外線カット機能またはネオンカット機能、もしくは双方の機能を有する近赤外線／ネオンカット層を設けたことを特徴とする表示装置用フィルタである。
【００１４】
本発明は、近赤外線／ネオンカット層は、粘着材を介して光学機能層または透明基材上に設けられていることを特徴とする表示装置用フィルタである。
【００１５】
本発明は、光学機能層または透明基材上に、近赤外線カット機能またはネオンカット機能、もしくは双方の機能を有する近赤外線／ネオンカット粘着材を設けたことを特徴とする表示装置用フィルタである。
【００１６】
本発明は、透明基材は、近赤外線カット機能またはネオンカット機能、もしくは双方の機能を有することを特徴とする表示装置用フィルタである。
【００１７】
本発明は、反射防止層を更に備えたことを特徴とする表示装置用フィルタである。
【００１８】
本発明は、支持用基材を更に備えたことを特徴とする表示装置用フィルタである。
【００１９】
本発明は、表示装置用フィルタと、表示装置とを備えたことを特徴とするフィルタ付表示装置である。
【００２０】
本発明は、表示装置の前面に設置される表示装置用フィルタの製造方法において、透明基材を準備する工程と、透明基材上に映像のコントラストを高める光学機能層を設ける工程と、を備え、光学機能層は、透明樹脂部と透明樹脂部に埋め込まれた黒化樹脂部とからなり、光学機能層の黒化樹脂部は導電性インクからなり、電磁波シールド機能を有することを特徴とする表示装置用フィルタの製造方法である。
【発明の効果】
【００２１】
以上のように本発明によれば、光学機能層が電磁波シールド機能を有しているので、電磁波シールド層と光学機能層とを別々に設ける必要がない。このため表示装置用フィルタを構成する部材の数を減らすことができる。これにより、表示装置用フィルタを製造する工程数を削減することができ、製造コストの低減を図ることができる。また表示装置用フィルタの透過率を向上させ、表示装置用フィルタ全体を軽量化することができる。
【発明を実施するための最良の形態】
【００２２】
以下、図面を参照して本発明の一実施の形態について説明する。
図１、図３乃至図１０は、本発明の一実施の形態による表示装置用フィルタを示す構成図であり、図２は、光学機能層を示す平面図であり、図１１は比較例としての表示装置用フィルタを示す構成図であり、図１２乃至図１４は本発明の一実施の形態による表示装置用フィルタの製造方法を示す工程図であり、図１５は光学機能層の製造方法を示す断面図である。
【００２３】
表示装置用フィルタの構成
まず、図１乃至図１１により本実施の形態による表示装置用フィルタについて説明する。
【００２４】
図１に示すように、本実施の形態による表示装置用フィルタ１０は、プラズマディスプレイパネル（ＰＤＰ）３０等の映像表示装置の前面に設置されるものである。
【００２５】
このような表示装置用フィルタ１０は、外光を効果的に吸収してＰＤＰ３０からの映像のコントラストを高める光学機能層２０を備えている。
【００２６】
この光学機能層２０は、透明樹脂部２１と、この透明樹脂部２１内に埋め込まれた断面くさび状の黒化樹脂部２２とからなり、この黒化樹脂部２２により外光を効果的に吸収することができる。また黒化樹脂部２２は光を吸収することができるとともに導電性を有する導電性インクからなっている。これにより、光学機能層２０はＰＤＰ３０から放出され人体に有害な電磁波を効果的に遮蔽する電磁波シールド機能を有している。
【００２７】
光学機能層２０の黒化樹脂部２２を構成する導電性インクとしては、一般に金属微粒子を硬化性有機バインダーと混合したものが用いられる。この金属微粒子として通常使用される金属（フィラー）としては、金、銀、銅、ニッケル、アルミニウム、その他および合金類あるいは異種金属混合系などがある。これらの導電性は、例えば塗料のフィラーとしては銀は１０−５Ω・ｃｍ以上、金は１０−６Ω・ｃｍ以上である。また、硬化性有機バインダー類としてはアクリル樹脂系、ポリエステル樹脂系、塩化ビニル樹脂系、エポキシ樹脂系、フェノール樹脂系、ポリオレフィン系、メラミン樹脂系など良く知られている。これらの金属フィラーを用いた導電性インクは一般市販品であり、かつ導電性が１０−３〜１０−６Ω・ｃｍを示すので、例えばＩＴＯ（Indium Tin Oxide）の導電性１０１〜１０３Ω・ｃｍに比して高く電磁波遮蔽材料として好適である。
【００２８】
また光学機能層２０を上方から見た場合、光学機能層２０の黒化樹脂部２２がストライプ状（図２（ａ））または格子状（図２（ｂ））に形成されている。これにより、光学機能層２０は、電磁波シールド機能を有するようになっている。
【００２９】
ところで図１に示すように、光学機能層２０上に光学機能層２０を支持する第２透明基材１１ｂが設けられている。この第２透明基材１１ｂは、粘着材１５を介して近赤外線（near infrared：ＮＩＲ）およびネオン光（Ｎｅ）をカットする近赤外線／ネオンカット層２５に接着されている。
【００３０】
この近赤外線／ネオンカット層２５は、アクリル樹脂と、アクリル樹脂中に含まれた近赤外線吸収色素およびネオン吸収色素とを有している。近赤外線吸収色素は、８００〜１１００ｎｍの波長の光をカットするようになっており、ネオン吸収色素は、５７０〜６００ｎｍの波長の光をカットするようになっている。また近赤外線／ネオンカット層２５を構成する樹脂としては、アクリル樹脂の他、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂等の透明（可視光透過率５０％以上）樹脂を使用することができる。
【００３１】
近赤外線吸収色素としては、イモニウム系化合物、ジインモニウム系化合物、フタロシアニン系化合物、アルミニウム塩系化合物、金属錯体化合物が挙げられ、ネオン吸収色素としてはポルフィリン系化合物が挙げられる。
【００３２】
またネオン吸収色素としては、シアニン系色素、サブフタロシアニン系色素、ポルフィリン、テトラアザポルフィリン系色素等が挙げられる。
【００３３】
なお、近赤外線／ネオンカット層２５は、近赤外線カット機能およびネオンカット機能の双方の機能を有しているが、近赤外線／ネオンカット層２５を、近赤外線カット機能を有する近赤外線カット層と、ネオンカット機能を有するネオンカット層の２層構造としてもよい。また近赤外線／ネオンカット層２５は近赤外線カット機能またはネオンカット機能のいずれか一方のみの機能をもっていてもよい。
【００３４】
また図１に示すように、近赤外線／ネオンカット層２５は第１透明基材１１ａに支持され、この第１透明基材１１ａ上には、反射防止用粘着材１３を介して反射防止層１４が設けられている。他方、光学機能層２０上には表示装置用粘着材（画像表示部側粘着材）２４が設けられている。なお、外光により近赤外線／ネオンカット層２５中の近赤外線吸収色素およびネオン吸収色素が劣化することを防止するため、第１透明基材１１ａがＵＶカット機能を有していても良い。
【００３５】
反射防止層１４は空気とフィルタ１０との間の屈折率差による反射を防止するとともに、ＰＤＰ３０表面の反射を防止するものである。この反射防止層１４は光学薄膜を積層することにより構成される。なお、反射防止層１４は、第１透明基材１１ａ上にウエット塗布または真空製膜により形成しても良い。
【００３６】
また反射防止用粘着材１３、粘着材１５および画像表示部側粘着材２４としては、粘着性をもつアクリル樹脂等を用いることができる。
【００３７】
なお画像表示部側粘着材２４は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００３８】
表示装置用フィルタ１０をＰＤＰ３０の前面に装着する方法として、上述のように表示装置用フィルタ１０を画像表示部側粘着材２４を介してＰＤＰ３０の前面に接着させる方法の他、ガラス、フィルム等からなる支持用基材１０Ａ（後述）を有する表示装置用フィルタ１０を準備し、この支持用基材とＰＤＰ３０とを接着させても良い。また支持用基材１０Ａを有する表示装置用フィルタ１０を支持用基材１０ＡがＰＤＰ３０側を向くように配置し、表示装置用フィルタ１０とＰＤＰ３０との間に空間をあけるようにして表示装置用フィルタ１０の周縁をＰＤＰ３０に固定しても良い。さらにまた支持用基材１０Ａを有しない表示装置用フィルタ１０を準備し、表示装置用フィルタ１０とＰＤＰ３０との間に空間をあけるようにして表示装置用フィルタ１０の周縁をＰＤＰ３０に固定しても良い。
【００３９】
図１において、光学機能層２０はＰＤＰ３０からの映像のコントラストを高めるとともにＰＤＰ３０から放出される電磁波を効果的に遮蔽することができるので、ＰＤＰ３０からの電磁波を遮蔽する層（電磁波シールド層）と光学機能層２０とを別々に設ける必要がなく、表示装置用フィルタ１０を構成する部材の数を減らすことができる。すなわち電磁波シールド層および電磁波シールド層を支持する透明基材が不要となる。これにより、表示装置用フィルタ１０を製造する工程数を削減することができ、製造コストの低減を図ることができる。さらには表示装置用フィルタ１０の透過率を向上させ、表示装置用フィルタ全体を軽量化することができる。
【００４０】
すなわち、比較例として図１１に示す表示装置用フィルタ４０は、近赤外線およびネオン光をカットする機能を有する近赤外線／ネオンカット層２５と、この近赤外線／ネオンカット層２５を支持する第１透明基材１１ａとを有している。このうち第１透明基材１１ａは、第１粘着材１５ａを介して第３透明基材１１ｃに接合されている。そして第３透明基材１１ｃ上に電磁波シールド層１２が支持され、電磁波シールド層１２に反射防止用粘着材１３を介して反射防止層１４が設けられている。
【００４１】
また近赤外線／ネオンカット層２５は、第２粘着材１５ｂを介して第２透明基材１１ｂに接合されている。そして第２透明基材１１ｂ上に光学機能層２０が設けられ、光学機能層２０上に画像表示部側粘着材２４が設けられている。
【００４２】
図１１に示す比較例としての表示装置用フィルタ４０において、反射防止層１４と第１透明基材１１ａとの間に、電磁波シールド層１２と、電磁波シールド層１２を支持する第３透明基材１１ｃとが配置されている。
【００４３】
これに対して、図１に示すように本発明によれば、光学機能層２０の黒化樹脂部２２は光を吸収することができるとともに導電性を有する導電性インクからなっている。このため、近赤外線／ネオンカット層２５と光学機能層２０のほかに、電磁波を遮蔽する層（電磁波シールド層１２）を設ける必要はない。
【００４４】
表示装置用フィルタ１０は、更に画像表示部側粘着材２４側または反射防止層１４側に配置され、全体を保持する機能をもつガラス、フィルム等からなる支持用基材１０Ａを有していてもよい（図３）。
【００４５】
なお、図１および図３において第１透明基材１１ａ上に反射防止層用粘着材１３を介して反射防止層１４を設けた例を示したが、これに限らず反射防止層１４の代わりに表面に凹凸をつけて外光を散乱させるぎらつき防止層を設けてもよい。また近赤外線／ネオンカット層２５をパネル側（ＰＤＰ３０側）に配置するとともに、光学機能層２０を観察側（ＰＤＰ３０の反対側）に配置しても良い。例えば、近赤外線／ネオンカット層２５は、粘着材を介して光学機能層２０に接合されていても良い。この場合、反射防止層１４は近赤外線／ネオンカット層２５側ではなく、光学機能層２０側に設けられる。
【００４６】
次に図４乃至図７により表示装置用フィルタ１０の他の構成について説明する。図４乃至図７において、図１乃至図３に示す表示装置用フィルタ１０と同一部分には、同一符号を付して詳細な説明は省略する。
【００４７】
図４に示す表示装置用フィルタ１０は、透明基材１１と、透明基材１１の一方の面上に反射防止層用粘着材１３を介して設けられた反射防止層１４と、透明基材１１の他方の面に設けられた光学機能層２０と、光学機能層２０上に設けられ、近赤外線（near infrared：ＮＩＲ）およびネオン光（Ｎｅ）をカットするとともに粘着性を有する近赤外線／ネオンカット粘着材２３とを備えている。
【００４８】
このうち光学機能層２０は、透明樹脂部２１と、この透明樹脂部２１内に埋め込まれた断面くさび状の黒化樹脂部２２とからなり、この黒化樹脂部２２により外光を効果的に吸収することができる。また黒化樹脂部２２は光を吸収することができるとともに導電性を有する導電性インクからなっている。これにより、光学機能層２０はＰＤＰ３０から放出され人体に有害な電磁波を効果的に遮蔽する電磁波シールド機能を有している。
【００４９】
光学機能層２０の黒化樹脂部２２を構成する導電性インクとしては、一般に金属微粒子を硬化性有機バインダーと混合したものが用いられる。この金属微粒子として通常使用される金属（フィラー）としては、金、銀、銅、ニッケル、アルミニウム、その他および合金類あるいは異種金属混合系などがある。これらの導電性は、例えば塗料のフィラーとしては銀は１０−５Ω・ｃｍ以上、金は１０−６Ω・ｃｍ以上である。また、硬化性有機バインダー類としてはアクリル樹脂系、ポリエステル樹脂系、塩化ビニル樹脂系、エポキシ樹脂系、フェノール樹脂系、ポリオレフィン系、メラミン樹脂系など良く知られている。これらの金属フィラーを用いた導電性インクは一般市販品であり、かつ導電性が１０−３〜１０−６Ω・ｃｍを示すので、例えばＩＴＯ（Indium Tin Oxide）の導電性１０１〜１０３Ω・ｃｍに比して高く電磁波遮蔽材料として好適である。
【００５０】
また光学機能層２０を上方から見た場合、光学機能層２０の黒化樹脂部２２がストライプ状または格子状に形成されている。これにより、光学機能層２０は、電磁波シールド機能を有するようになっている。
【００５１】
近赤外線／ネオンカット粘着材２３は、粘着性を有するアクリル樹脂と、アクリル樹脂中に含まれた近赤外線吸収色素およびネオン吸収色素とを有している。近赤外線／ネオンカット粘着材２３を構成する樹脂としては、アクリル樹脂の他、アクリル系、エステル系、ウレタン系、フッ素系、ポリイミド系、エポキシ系、またはポリウレタンエステル系等の接着剤、あるいは、主成分としてメチル（メタ）アクリレート、エチル（メタ）アクリレート、ブチル（メタ）アクリレート、または２−エチルヘキシル（メタ）アクリレート等を含有したアクリル系粘着剤によって形成された樹脂が挙げられる。なお、「（メタ）アクリレート」とは、アクリレートおよびメタアクリレートの双方を意味する。接合剤層を形成するにあたっては、必要に応じて、その原料にイソシアネート系、ポリチオール系、イミド系等の硬化剤を含有させることができる。近赤外線吸収色素は、８００〜１１００ｎｍの波長の光をカットするようになっており、ネオン吸収色素は、５７０〜６００ｎｍの波長の光をカットするようになっている。
【００５２】
また近赤外線／ネオンカット粘着材２３は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００５３】
なお、近赤外線／ネオンカット粘着材２３は、近赤外線カット機能およびネオンカット機能の双方の機能を有しているが、近赤外線／ネオンカット粘着材２３は近赤外線カット機能またはネオンカット機能のいずれか一方のみの機能をもっていてもよい。
【００５４】
なお表示装置用フィルタ１０は、更に近赤外線／ネオンカット粘着材２３側または反射防止層１４側に配置され、全体を保持する機能をもつガラス、フィルム等からなる支持用基材１０Ａを有していてもよい（図５）。
【００５５】
なお、図４および図５において、近赤外線／ネオンカット粘着材２３を透明基材１１上に設け、近赤外線／ネオンカット粘着材２３を介して反射防止層１４と透明基材１１とを接着しても良い。
【００５６】
図６に示す表示装置用フィルタ１０は、透明基材１１と、透明基材１１の一方の面上に反射防止層用粘着材１３を介して設けられた反射防止層１４と、透明基材１１の他方の面に設けられた光学機能層２０と、光学機能層２０上に設けられ、近赤外線（near infrared：ＮＩＲ）およびネオン光（Ｎｅ）をカットする近赤外線／ネオンカット層２５と、近赤外線／ネオンカット層２５上に設けられた画像表示部側粘着材２４とを備えている。
【００５７】
このうち光学機能層２０は、透明樹脂部２１と、この透明樹脂部２１内に埋め込まれた断面くさび状の黒化樹脂部２２とからなり、この黒化樹脂部２２により外光を効果的に吸収することができる。また黒化樹脂部２２は光を吸収することができるとともに導電性を有する導電性インクからなっている。これにより、光学機能層２０はＰＤＰ３０から放出され人体に有害な電磁波を効果的に遮蔽する電磁波シールド機能を有している。
【００５８】
光学機能層２０の黒化樹脂部２２を構成する導電性インクとしては、一般に金属微粒子を硬化性有機バインダーと混合したものが用いられる。この金属微粒子として通常使用される金属（フィラー）としては、金、銀、銅、ニッケル、アルミニウム、その他および合金類あるいは異種金属混合系などがある。これらの導電性は、例えば塗料のフィラーとしては銀は１０−５Ω・ｃｍ以上、金は１０−６Ω・ｃｍ以上である。また、硬化性有機バインダー類としてはアクリル樹脂系、ポリエステル樹脂系、塩化ビニル樹脂系、エポキシ樹脂系、フェノール樹脂系、ポリオレフィン系、メラミン樹脂系など良く知られている。これらの金属フィラーを用いた導電性インクは一般市販品であり、かつ導電性が１０−３〜１０−６Ω・ｃｍを示すので、例えばＩＴＯ（Indium Tin Oxide）の導電性１０１〜１０３Ω・ｃｍに比して高く電磁波遮蔽材料として好適である。
【００５９】
また光学機能層２０を上方から見た場合、光学機能層２０の黒化樹脂部２２がストライプ状または格子状に形成されている。これにより、光学機能層２０は、電磁波シールド機能を有するようになっている。
【００６０】
近赤外線／ネオンカット層２５は、アクリル樹脂と、アクリル樹脂中に含まれた近赤外線吸収色素およびネオン吸収色素とを有している。近赤外線吸収色素は、８００〜１１００ｎｍの波長の光をカットするようになっており、ネオン吸収色素は、５７０〜６００ｎｍの波長の光をカットするようになっている。また近赤外線／ネオンカット層２５を構成する樹脂としては、アクリル樹脂の他、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂等の透明（可視光透過率５０％以上）樹脂を使用することができる。
【００６１】
近赤外線吸収色素としては、イモニウム系化合物、ジインモニウム系化合物、フタロシアニン系化合物、アルミニウム塩系化合物、金属錯体化合物が挙げられ、ネオン吸収色素としてはポルフィリン系化合物が挙げられる。
【００６２】
またネオン吸収色素としては、シアニン系色素、サブフタロシアニン系色素、ポルフィリン、テトラアザポルフィリン系色素等が挙げられる。
【００６３】
なお、近赤外線／ネオンカット層２５は、近赤外線カット機能およびネオンカット機能の双方の機能を有しているが、近赤外線／ネオンカット層２５を、近赤外線カット機能を有する近赤外線カット層と、ネオンカット機能を有するネオンカット層の２層構造としてもよい。また近赤外線／ネオンカット層２５は近赤外線カット機能またはネオンカット機能のいずれか一方のみの機能をもっていてもよい。
【００６４】
この表示装置用フィルタ１０は、画像表示部側粘着材２４を介してＰＤＰ３０の前面に接着される。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００６５】
なお表示装置用フィルタ１０は、更に画像表示部側粘着材２４側または反射防止層１４側に配置され、全体を保持する機能をもつガラス、フィルム等からなる支持用基材１０Ａを有していてもよい（図７）。
【００６６】
図６乃至図７において、近赤外線／ネオンカット層２５は、光学機能層２０上ではなく透明基材１１上に設けても良い。この場合、反射防止層１４は近赤外線／ネオンカット層２５上に設けられる。
【００６７】
なお図４乃至図７において、反射防止層１４の代わりに、ぎらつき防止層を設けてもよい。また透明基材１１側がＰＤＰ３０側、光学機能層２０が観察側に配置されていても良い。この場合、反射防止層１４は透明基材１１側ではなく、光学機能層２０側に設けられる。
【００６８】
また図４乃至図７において、表示装置用フィルタ１０をＰＤＰ３０の前面に装着する方法として、上述のように表示装置用フィルタ１０を画像表示部側粘着材２４または近赤外線／ネオンカット粘着材２３を介してＰＤＰ３０の前面に接着させる方法の他、ガラス、フィルム等からなる支持用基材１０Ａを有する表示装置用フィルタ１０を準備し、この支持用基材とＰＤＰ３０とを接着させても良い。また支持用基材１０Ａを有する表示装置用フィルタ１０を支持用基材１０ＡがＰＤＰ３０側を向くように配置し、表示装置用フィルタ１０とＰＤＰ３０との間に空間をあけるようにして表示装置用フィルタ１０の周縁をＰＤＰ３０に固定しても良い。さらにまた支持用基材１０Ａを有しない表示装置用フィルタ１０を準備し、表示装置用フィルタ１０とＰＤＰ３０との間に空間をあけるようにして表示装置用フィルタ１０の周縁をＰＤＰ３０に固定しても良い。
【００６９】
ところで図１乃至図７において、光学機能層２０の透明樹脂部２１中に金属粉を添加し、これにより更に光学機能層２０の電磁波シールド機能を高めても良い（図８）。この場合、光学機能層２０の透明樹脂部２１中に添加される金属粉としては、銅または銀等の粉末を用いることができる。
【００７０】
また図１乃至図７において、光学機能層２０上に、導電性を有する導電層２６を更に設け、これにより更に電磁波シールド機能を高めても良い。この場合、導電層２６は、光学機能層２０のいずれの面上に設けても良い（図９、図１０）。なお、このような導電層２６としては、ＩＴＯ、酸化インジウム、もしくは酸化亜鉛等の透明導電膜、または金、銀、銅、白金、もしくはパラジウム等の金属薄膜を用いることができる。このうち銀は近赤外線を反射する材料なので、導電層２６として銀を用いた場合、導電層２６が近赤外線カット機能を併せ持つ。
【００７１】
一方、透明基材１１（第２透明基材１１ｂ）中に、上述した近赤外線吸収色素およびネオン吸収色素を混入し、これにより透明基材１１（第２透明基材１１ｂ）が、近赤外線（near infrared：ＮＩＲ）およびネオン光をカットする機能（近赤外線／ネオンカット機能）を有していても良い。あるいは、透明基材１１（第２透明基材１１ｂ）中に、近赤外線吸収色素またはネオン吸収色素のうちいずれか一方を混入し、これにより透明基材１１（第２透明基材１１ｂ）が、近赤外線カット機能またはネオンカット機能のいずれか一方のみの機能をもっていてもよい。
【００７２】
表示装置用フィルタの製造方法
次に表示装置用フィルタの製造方法について説明する。まず図１乃至図３に示す表示装置用フィルタ１０の製造方法について、図１２（ａ）〜（ｆ）により説明する。
【００７３】
まず図１２（ａ）に示すように、第１透明基材１１ａを準備する。次に第１透明基材１１ａの一方の面に、近赤外線／ネオンカット層２５が形成される（図１２（ｂ））。この場合、近赤外線／ネオンカット層２５はスピンコート、ディップコート、ダイコート、キャストコート等の湿式法、あるいは蒸着等の乾式法により設けられる。
【００７４】
また、図１２（ｃ）に示すように、第２透明基材１１ｂを準備する。次に第２透明基材１１ｂに、透明樹脂部２１と黒化樹脂部２２とからなる光学機能層２０が形成される（図１２（ｄ））。
【００７５】
次に、近赤外線／ネオンカット層２５と第２透明基材１１ｂとを粘着材１５を介して接着させ、これにより図１２（ｅ）に示す積層体を得る。その後、第１透明基材１１ａ上に反射防止層用粘着材１３を介して反射防止層１４を設け、光学機能層２０上に画像表示部側粘着材２４を設けることにより（図１２（ｆ））、図１に示すような表示装置用フィルタ１０が得られる。
【００７６】
また、画像表示部側粘着材２４側または反射防止層１４側にガラス、フィルム等からなる支持用基材１０Ａを設けることにより、図３に示すような表示装置用フィルタ１０を得ることができる。
【００７７】
次に図１３および図１４により、図４乃至図７に示す表示装置用フィルタの製造方法について説明する。
【００７８】
まず図１３（ａ）〜（ｄ）により、図４および図５に示す表示装置用フィルタ１０の製造方法について述べる。
【００７９】
まず図１３（ａ）に示すように、透明基材１１を準備する。次に透明基材１１の一方の面に、透明樹脂部２１と黒化樹脂部２２とからなる光学機能層２０が形成される（図１３（ｂ））。その後、光学機能層２０上に、近赤外線／ネオンカット粘着材２３を設ける（図１３（ｃ））。
【００８０】
その後図１３（ｄ）に示すように、透明基材１１上に反射防止層用粘着材１３を介して反射防止層１４を設けることにより、図４に示す表示装置用フィルタ１０が得られる。次に表示装置用フィルタ１０は、近赤外線／ネオンカット粘着材２３を介してＰＤＰ３０の前面に接着される。
【００８１】
また、近赤外線／ネオンカット粘着材２３側または反射防止層１４側にガラス、フィルム等からなる支持用基材１０Ａを設けることにより、図５に示すような表示装置用フィルタ１０を得ることができる。
【００８２】
次に図１４（ａ）〜（ｄ）により、図６に示す表示装置用フィルタ１０の製造方法について述べる。
【００８３】
まず図１４（ａ）に示すように、透明基材１１を準備する。次に透明基材１１の一方の面に、透明樹脂部２１と黒化樹脂部２２とからなる光学機能層２０が形成される（図１４（ｂ））。
【００８４】
次に図１４（ｃ）に示すように、光学機能層２０上に近赤外線／ネオンカット層２５を設ける。この場合、近赤外線／ネオンカット層２５はスピンコート、ディップコート、ダイコート等の湿式法、あるいは蒸着等の乾式法により設けられる。
【００８５】
その後、図１４（ｄ）に示すように、透明基材１１上に反射防止層用粘着材１３を介して反射防止層１４を設け、近赤外線／ネオンカット層２５上に画像表示部側粘着材２４を設けることにより、図６に示す表示装置用フィルタ１０が得られる。次に表示装置用フィルタ１０は、画像表示部側粘着材２４を介してＰＤＰ３０の前面に接着される。
【００８６】
また、近赤外線／ネオンカット層２５側または反射防止層１４側にガラス、フィルム等からなる支持用基材１０Ａを設けることにより、図７に示すような表示装置用フィルタ１０を得ることができる。
【００８７】
各構成部材の説明
次に表示装置用フィルタ１０を構成する各構成部材について説明する。
【００８８】
（透明基材）
透明基材１１（第１透明基材１１ａ、第２透明基材１１ｂ）としては、ＰＥＴ製フィルム、アクリル製フィルム等のプラスチックフィルム、あるいは強化ガラスまたは半強化ガラス等を用いることができる。
【００８９】
透明基材１１（第１透明基材１１ａ、第２透明基材１１ｂ）を構成するプラスチックフィルムは高透明性と耐熱性を有することが望ましく、高分子成形物および高分子成形物の積層体を用いることができる。透明性に関しては可視光線透過率が８０％以上であることが有利であって、耐熱性に関してはガラス転移温度が５０℃以上であることが望ましい。とりわけ、ポリエチレンテレフタレート（ＰＥＴ）、ポリサルフォン（ＰＳ）、ポリエーテルスルホン（ＰＥＳ）、ポリスチレン、ポリエチレンナフタレート、ポリアリルレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメタクリル酸メチル（ＰＭＭＡ）等を挙げることができる。これらのうち、ポリエチレンテレフタレート（ＰＥＴ）製のフィルムを用いることが望ましい。
【００９０】
また、とりわけ図１および図３に示す第１透明基材１１ａは、紫外線カット機能を有することが好ましい。
【００９１】
（光学機能層）
光学機能層２０は透明樹脂部２１と、透明樹脂部２１内に埋込まれた黒化樹脂部２２とからなっている。このうち黒化樹脂部２２はくさび形断面を有しているが、矩形状断面、逆くさび形断面、三角形断面、半円形断面を有していてもよい（図１５および図２（ａ）（ｂ）参照）。ここで、図１５は光学機能層２０の製造方法を示す断面図である。
【００９２】
図２（ａ）に示すように、光学機能層２０の黒化樹脂部２２は、一線状に帯状となって延びてストライプ状に形成されている。なお表示装置用フィルタ１０をＰＤＰ３０に設置した場合、黒化樹脂部２２の方向は左右方向となる。あるいは、図２（ｂ）に示すように、光学機能層２０の黒化樹脂部２２を格子状に形成し、電磁波シールド機能を高めても良い。なお、光学機能層２０の黒化樹脂部２２の形状は、ストライプ状またはメッシュ状（格子状）に限られず、その他幾何学模様状であってもよい。
【００９３】
ところで光学機能層２０の透明樹脂部２１はＵＶ硬化樹脂で形成されている。一方、黒化樹脂部２２は導電性インクからなっている。この黒化樹脂部２２を構成する導電性インクは、上述したように、金、銀、銅、ニッケル、アルミニウム、その他および合金類あるいは異種金属混合系などからなる金属微粒子を、アクリル樹脂系、ポリエステル樹脂系、塩化ビニル樹脂系、エポキシ樹脂系、フェノール樹脂系、ポリオレフィン系、メラミン樹脂系等からなる硬化性有機バインダー類と混合したものである。
【００９４】
次に図１５により、光学機能層２０を製造する方法について説明する。図１５に示すように、まず透明基材１１（第２透明基材１１ｂ）上に透明なＵＶ硬化樹脂２１を塗布し、このＵＶ硬化樹脂２１上に型を当てながらＵＶ照射することによりＵＶ硬化樹脂２１を硬化させて、凹部を形成する。
【００９５】
次にＵＶ硬化樹脂２１の凹部内に黒化樹脂部となる導電性インキを充てんし乾燥または硬化させる。このことによりＵＶ硬化樹脂からなる透明樹脂部２１と、黒化樹脂部２２とからなる光学機能層２０を得ることができる。
【００９６】
なお、透明樹脂部２１をＵＶ硬化樹脂で形成する代わりに、熱硬化樹脂または電子線硬化樹脂を用いて形成してもよい。
【００９７】
また他の光学機能層２０の製造方法としては、まず透明基材１１（第２透明基材１１ｂ）上に導電性インクからなる黒色樹脂を用い、フォトリソグラフィー、インクジェット、その他の印刷法により凸状のパターンを形成し、この凸状のパターン上全面を覆って透明樹脂を塗布して光学機能層２０を製造してもよい。この場合黒色樹脂により導電性インクからなる黒化樹脂部２２が形成され、透明樹脂により透明樹脂部２１が形成される。
【図面の簡単な説明】
【００９８】
【図１】本発明による表示装置用フィルタの一実施の形態を示す構成図。
【図２】光学機能層を示す平面図。
【図３】本発明による表示装置用フィルタの一実施の形態の変形例を示す構成図。
【図４】本発明による表示装置用フィルタの一実施の形態の変形例を示す構成図。
【図５】本発明による表示装置用フィルタの一実施の形態の変形例を示す構成図。
【図６】本発明による表示装置用フィルタの一実施の形態の変形例を示す構成図。
【図７】本発明による表示装置用フィルタの一実施の形態の変形例を示す構成図。
【図８】光学機能層を示す構成図。
【図９】光学機能層を示す構成図。
【図１０】光学機能層を示す構成図。
【図１１】比較例としての表示装置用フィルタを示す構成図。
【図１２】本発明による表示装置用フィルタの製造方法を示す工程図。
【図１３】本発明による表示装置用フィルタの製造方法を示す工程図。
【図１４】本発明による表示装置用フィルタの製造方法を示す工程図。
【図１５】光学機能層を製造する工程を示す図。
【符号の説明】
【００９９】
１０  表示装置用フィルタ
１０Ａ  支持用基材
１１  透明基材
１３  反射防止層用粘着材
１４  反射防止層
１５  粘着材
２０  光学機能層
２１  透明樹脂部
２２  黒化樹脂部
２３  近赤外線／ネオンカット粘着材
２４  画像表示部側粘着材
２５  近赤外線／ネオンカット層
２６  導電層
３０  ＰＤＰ
【図１】
2008256833.tif 000003
【図２】
2008256833.tif 000004
【図３】
2008256833.tif 000005
【図４】
2008256833.tif 000006
【図５】
2008256833.tif 000007
【図６】
2008256833.tif 000008
【図７】
2008256833.tif 000009
【図８】
2008256833.tif 000010
【図９】
2008256833.tif 000011
【図１０】
2008256833.tif 000012
【図１１】
2008256833.tif 000013
【図１２】
2008256833.tif 000014
【図１３】
2008256833.tif 000015
【図１４】
2008256833.tif 000016
【図１５】
2008256833.tif 000017